(57)【要約】  対象情報管理装置において対象情報提供装置における対象情報の送受信を制御できるとともに、通信中継装置に負荷をかけることなく、効率的な対象情報の送受信を行うことができる対象情報管理システムを提供する。通信中継装置１３０は、トラップ作動状態管理装置１２０から作動状態送信要求情報を取得し、自身と直接的に通信できるトラップ作動状態提供装置１１０の全てに同報作動状態送信要求情報を、送信し、次回の作動状態送信要求時刻を、自身と直接的に通信できるトラップ作動状態提供装置１１０の全てに提供し、作動状態送信要求時刻に従って、自らをスリープ状態とする。トラップ作動状態提供装置１１０は、スチームトラップＴの作動状態を取得し、通信中継装置１３０から同報作動状態送信要求情報を取得すると、作動状態を作動状態情報として通信中継装置１３０に送信し、作動状態送信要求時刻に従って、自らをスリープ状態とする。
2016093256.tif 000002
【特許請求の範囲】
【請求項１】
対象情報管理装置、複数の対象情報提供装置、及び、前記対象情報管理装置と前記対象情報提供装置との間の通信を中継する通信中継装置を有する対象情報管理システムにおいて、
前記対象情報管理装置は、
前記通信中継装置に対して、所定の前記対象情報提供装置が有する前記対象情報を送信するよう要求する送信要求情報を生成する送信要求情報生成部、
前記送信要求情報を送信する管理送信部、
を有し、
前記通信中継装置は、
前記送信要求情報を受信する中継受信部、
前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
を有し、
前記対象情報提供装置は、
前記同報送信要求情報を受信する提供受信部、
前記同報送信要求情報を受信すると、前記対象情報を、前記同報送信要求情報を送信した前記通信中継装置に、送信する提供送信部、
を有し、
前記通信中継装置は、さらに、
前記中継受信部を介して、前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有する対象情報管理システム。
【請求項２】
対象情報管理装置、複数の対象情報提供装置、及び、通信中継装置を有する対象情報管理システムにおいて、前記対象情報管理装置と前記対象情報提供装置との間の通信を中継する前記通信中継装置であって、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有する通信中継装置。
【請求項３】
請求項２に係る通信中継装置において、
前記中継受信部を介して、次回送信要求時刻を有する前記送信要求情報を受信すると、前記次回送信要求時刻を次回送信要求時刻情報として記憶保持し、前記次回送信時刻に合わせて、前記中継受信部の通信待機状態を開始し、及び、終了する受信待機制御部、
を有する通信中継装置。
【請求項４】
請求項３に係る通信中継装置において、
前記受信待機制御部は、さらに、
自身以外の前記通信中継装置であって、前記対象情報管理システムにおいて自身の下位に属するものに対する前記送信要求情報であって、前記次回送信要求時刻を有するものを受信すると、前記次回送信要求時刻を次回送信要求時刻情報として記憶保持し、前記次回送信時刻に合わせて、前記中継受信部の通信待機状態を開始し、及び、終了すること
を特徴とする通信中継装置。
【請求項５】
コンピュータを、対象情報管理装置、複数の対象情報提供装置、及び、通信中継装置を有する対象情報管理システムにおいて、前記対象情報管理装置と前記対象情報提供装置との間の通信を中継する前記通信中継装置と機能させる通信中継プログラムであって、
前記コンピュータを、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
として機能させる通信中継プログラム。
【発明の詳細な説明】
【技術分野】
【０００１】
本願は、対象情報を送受信することによって対象情報を管理する対象情報管理システムに関し、特に、通信中継装置を用いるものに関する。
【背景技術】
【０００２】
プロセスシステム構成機器作動状態管理システムを用いるプラント等のプロセスシステムでは、スチームトラップ等のプロセスシステム構成機器が多数存在する。これらプロセスシステム構成機器の作動状態を管理するために、無線ネットワークを介した、プロセスシステム構成機器作動状態管理システムが存在する。プロセスシステム構成機器作動状態管理システムでは、プロセスシステム構成機器から作動状態を取得する作動状態提供装置、及び、各作動状態提供装置から作動状態の提供を受け管理する作動状態管理装置は、それぞれ個別の計時回路を有している。このため、各作動状態提供装置と作動状態管理装置との間で、送受信のタイミングを一致させるために、それぞれの計時回路の間で同期をとった上で、作動状態情報の送受信を行っている。【０００３】
従来の対象情報管理システムについて、図１９に示すンサデータ収集システムを適用した制御システムを用いて説明する。センサデータ収集システムを適用した制御システムは、センサ子機１ａ，１ｂ，１ｃ，１ｄと、無線親機２と、制御装置３と、環境制御機器４（例えば照明器具５及び空調機器６など）とを備えている。【０００４】
この制御システムでは、制御対象のエリア内に配置されたセンサ子機１ａ，１ｄによって照度が測定され、センサ子機１ｂ，１ｃの各々で温湿度が測定される。【０００５】
無線親機２は、複数台のセンサ子機１から送信されたデータが衝突しないように、センサ子機１の送信タイミングをずらすオフセット時間を決定し、決定したオフセ
ット時間をセンサ子機１に送信する。【０００６】
無線親機２は、センサ子機１から測定データを受信すると、受信した測定データを、記憶部２５内でセンサ子機毎に割り当てられた記憶領域に一旦記憶させる。制御装置３のＣＰＵ３０は、環境制御機器４の制御に利用するため、所定のタイミングで通信部３１から無線親機２へデータ送信要求を送信させる。このデータ送信要求が無線親機２の有線通信部２３に受信されると、有線通信部２３からＭＣＵ２０へデータ送信要求が出力され、ＭＣＵ２０は、記憶部２５から所望のセンサ子機１の測定データを読み出して、有線通信部２３から制御装置３へと送信させる（以上、特許文献１参照）。
【先行技術文献】
【特許文献】
【０００７】
【特許文献１】特開２０１４−１０７７６２号公報
【発明の概要】
【発明が解決しようとする課題】
【０００８】
前述の制御システムには、以下に示すような改善すべき点がある。無線親機２とセンサ子機１との間での測定データの送受信と、制御装置３と無線親機２との間での測定データの送受信とは、互いに影響されることなく、独立で実施される。このため、測定データの送受信に際し、無線親機２に負荷がかかる、という改善すべき点がある。特に、無線親機２を測定データの送受信の間だけ動作させ、その他の時にはいわゆるスリープ状態とする場合、無線親機２の動作が煩雑となり、相当な負荷がかかる、という改善すべき点がある。【０００９】
また、無線親機２とセンサ子機１との間での測定データの送受信と、制御装置３と無線親機２との間での測定データの送受信とは、独立で実施されるため、最終的に測定データを収集する制御装置３において、全ての測定データの送受信を制御できない、という改善すべき点がある。例えば、制御装置３から、センサ子機１における測定データの送受信のタイミングを変更することはできないため、センサ子機１の増加、減少によるネットワーク構成の変更に対応できない。【００１０】
さらに、無線親機２において、無線親機２とセンサ子機１との間での測定データの送受信と、制御装置３と無線親機２との間での測定データの送受信との間で衝突が生じないようにしなければ、効率的な送受信を行えない、という改善すべき点がある。【００１１】
そこで、本願は、対象情報管理装置において対象情報提供装置における対象情報の送受信を制御できるとともに、通信中継装置に負荷をかけることなく、効率的な対象情報の送受信を行うことができる対象情報管理システムを提供することを目的とする。【００１２】
また、本願は、対象情報管理装置において対象情報提供装置における対象情報の送受信を制御できるとともに、負荷をかけることなく、効率的な対象情報の送受信を行うことができる通信中継装置を提供することを目的とする。
【発明の効果】
【００１３】
本願における課題を解決するための手段及び発明の効果を以下に示す。【００１４】
本願に係る対象情報管理システムは、対象情報管理装置、複数の対象情報提供装置、及び、前記対象情報管理装置と前記対象情報提供装置との間の通信を中継する通信中継装置を有する対象情報管理システムにおいて、前記対象情報管理装置は、前記通信中継装置に対して、所定の前記対象情報提供装置が有する前記対象情報を送信するよう要求する送信要求情報を生成する送信要求情報生成部、前記送信要求情報を送信する管理送信部、を有し、前記通信中継装置は、前記送信要求情報を受信する中継受信部、前記送信要求情報を受信すると、自らと直接的に通信する前記対象情報提供装置の全てに対して、前記対象情報の送信を要求する同報送信要求情報を生成する同報送信要求情報生成部、前記同報送信要求情報を送信する中継送信部、を有し、前記対象情報提供装置は、前記同報送信要求情報を受信する提供受信部、前記同報送信要求情報を受信すると、前記対象情報を、前記同報送信要求情報を送信した前記通信中継装置に、送信する提供送信部、を有し、前記通信中継装置は、さらに、前記中継受信部を介して、前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、を有する。【００１５】
これにより、対象情報管理装置からの送信要求にしたがって通信中継装置が対象情報提供装置から対象情報を中間収集し、対象情報管理装置に提供するので、対象情報管理装置において、対象情報の送受信を制御できる。また、通信中継装置は、対象情報管理装置からの送信要求によって、対象情報提供装置から対象情報を中間収集し、対象情報管理装置へ提供する一連の処理を実行するので、負荷なく、効率的な対象情報の送受信を行うことができる。【００１６】
本願に係る通信中継装置は、対象情報管理装置、複数の対象情報提供装置、及び、通信中継装置を有する対象情報管理システムにおいて、前記対象情報管理装置と前記対象情報提供装置との間の通信を中継する前記通信中継装置であって、前記対象情報管理装置が、前記通信中継装置に対して、所定の前記対象情報提供装置が有する前記対象情報を送信するよう要求する送信要求情報を受信する中継受信部、自身に対する前記送信要求情報を受信すると、自らと直接的に通信する前記対象情報提供装置の全てに対して、前記対象情報の送信を要求する同報送信要求情報を生成する同報送信要求情報生成部、前記同報送信要求情報を送信する中継送信部、前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、を有する。【００１７】
これにより、対象情報管理装置からの送信要求にしたがって通信中継装置が対象情報提供装置から対象情報を中間収集し、対象情報管理装置に提供するので、対象情報管理装置に、対象情報の送受信を制御させることができる。また、通信中継装置は、対象情報管理装置からの送信要求によって、対象情報提供装置から対象情報を中間収集し、対象情報管理装置へ提供する一連の処理を実行するので、負荷なく、効率的な対象情報の送受信を行うことができる。【００１８】
本願に係る通信中継装置は、前記中継受信部を介して、次回送信要求時刻を有する前記送信要求情報を受信すると、前記次回送信要求時刻を次回送信要求時刻情報として記憶保持し、前記次回送信時刻に合わせて、前記中継受信部の通信待機状態を開始し、及び、終了する受信待機制御部、を有する。【００１９】
これにより、対象情報の送受信を行わないときには、中継受信部の動作を停止できるため、通信中継装置を省電力化できる。【００２０】
本願に係る通信中継装置では、前記受信待機制御部は、さらに、自身以外の前記通信中継装置であって、前記対象情報管理システムにおいて自身の下位に属するものに対する前記送信要求情報であって、前記次回送信要求時刻を有するものを受信すると、前記次回送信要求時刻を次回送信要求時刻情報として記憶保持し、前記次回送信時刻に合わせて、前記中継受信部の通信待機状態を開始し、及び、終了すること、を特徴とする。【００２１】
これにより、通信中継装置が複数階層を形成している対象情報管理システムであっても、対象情報を送受信できる。【００２２】
本願に係る通信中継プログラムは、コンピュータを、対象情報管理装置、複数の対象情報提供装置、及び、通信中継装置を有する対象情報管理システムにおいて、前記対象情報管理装置と前記対象情報提供装置との間の通信を中継する前記通信中継装置と機能させる通信中継プログラムであって、前記コンピュータを、前記対象情報管理装置が、前記通信中継装置に対して、所定の前記対象情報提供装置が有する前記対象情報を送信するよう要求する送信要求情報を受信する中継受信部、自身に対する前記送信要求情報を受信すると、自らと直接的に通信する前記対象情報提供装置の全てに対して、前記対象情報の送信を要求する同報送信要求情報を生成する同報送信要求情報生成部、前記同報送信要求情報を送信する中継送信部、前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、として機能させる。【００２３】
これにより、対象情報管理装置からの送信要求にしたがって通信中継装置が対象情報提供装置から対象情報を中間収集し、対象情報管理装置に提供するので、対象情報管理装置において、対象情報の送受信を制御できる。また、通信中継装置は、対象情報管理装置からの送信要求によって、対象情報提供装置から対象情報を中間収集し、対象情報管理装置へ提供する一連の処理を実行するので、負荷なく、効率的な対象情報の送受信を行うことができる。【００２４】
ここで、特許請求の範囲における構成要素と、実施例における構成要素との対応関係を示す。特許請求の範囲における「対象情報管理システム」は、実施例における「トラップ作動状態管理システム１００」に対応する。また、特許請求の範囲における「対象情報提供装置」は、実施例における「トラップ作動状態提供装置１１０」に対応する。また、特許請求の範囲における「対象情報管理装置」は、実施例における「トラップ作動状態管理装置１２０」に対応する。また、特許請求の範囲における「通信中継装置」は、実施例における「通信中継装置１３０」に対応する。【００２５】
また、特許請求の範囲における「送信要求情報生成部」は、実施例における「ＣＰＵ１２０ａ」、「メモリ１２０ｂ」、「ＨＤＤ１２０ｃ」に、特許請求の範囲における「管理送信部」は実施例における「ＣＰＵ１２０ａ」、「メモリ１２０ｂ」、「ＨＤＤ１２０ｃ」、「無線通信回路１２０ｈ」に、それぞれに対応する。また、特許請求の範囲における「中継受信部」は実施例における「ＣＰＵ１３０ａ」、「メモリ１３０ｂ」、「無線通信回路１３０ｈ」に、特許請求の範囲における「同報送信要求情報生成部」は実施例における「ＣＰＵ１３０ａ」、「メモリ１３０ｂ」に、特許請求の範囲における「中間収集対象情報生成部」は実施例における「ＣＰＵ１３０ａ」、「メモリ１３０ｂ」に、特許請求の範囲における「受信待機制御部」は実施例における「ＣＰＵ１３０ａ」、「メモリ１３０ｂ」、「計時回路１３０ｊ」に、特許請求の範囲における「中継送信部」は実施例における「ＣＰＵ１３０ａ」、「メモリ１３０ｂ」、「無線通信回路１３０ｈ」に、それぞれに対応する。さらに、特許請求の範囲における「提供受信部」は実施例における「ＣＰＵ１１０ａ」、「メモリ１１０ｂ」、「無線通信回路１１０ｈ」に、特許請求の範囲における「提供送信部」は実施例における「ＣＰＵ１１０ａ」、「メモリ１１０ｂ」、「無線通信回路１１０ｈ」に、それぞれ対応する。
【図面の簡単な説明】
【００２６】
【図１】本願に係る対象情報管理システムの一実施例であるトラップ作動状態管理システム１００の構成を示す図である。
【図２】トラップ作動状態提供装置１１０の外観構成を示す図である。
【図３】トラップ作動状態提供装置１１０をスチームトラップＴに取り付けた状態示す図である。
【図４】トラップ作動状態提供装置１１０のハードウェア構成を示す図である。
【図５】トラップ作動状態管理装置１２０のハードウェア構成を示す図である。
【図６】通信中継装置１３０のハードウェア構成を示す図である。
【図７】作動状態情報のデータ構造を示す図である。
【図８】作動状態送信要求時刻情報のデータ構造を示す図である。
【図９】作動状態送信要求予定情報のデータ構造を示す図である。
【図１０】作動状態送信要求時刻情報のデータ構造を示す図である。
【図１１】作動状態情報ＤＢのデータ構造を示す図である。
【図１２】同報装置情報のデータ構造を示す図である。
【図１３】中間収集作動状態情報のデータ構造を示す図である。
【図１４】中継作動状態送信要求時刻情報のデータ構造を示す図である。
【図１５】トラップ作動状態管理装置１２０の動作を示すフローチャートである。
【図１６】通信中継装置１３０の動作を示すフローチャートである。
【図１７】通信中継装置１３０の動作を示すフローチャートである。
【図１８】トラップ作動状態提供装置１１０の動作を示すフローチャートである。
【図１９】従来の対象情報管理システムを示す図である。
【発明を実施するための形態】
【００２７】
以下、本願に係る対象情報管理システムの実施例について、図面を参照しながら詳細に説明していく。本発明に係るプロセスシステム構成機器作動状態管理システムの一実施例として、蒸気システムに用いられるスチームトラップの作動状態を提供するトラップ作動状態管理システムについて説明する。
【実施例１】
【００２８】
第１  トラップ作動状態管理システム１００のハードウェア構成
トラップ作動状態管理システム１００について、図１を用いて説明する。トラップ作動状態管理システム１００は、工場やプラント等に形成されるプロセスシステムに分散配備される多数のスチームトラップＴの作動状態（対象情報）を、無線通信を用いて管理するシステムである。トラップ作動状態管理システム１００は、トラップ作動状態提供装置１１０、トラップ作動状態管理装置１２０、及び、通信中継装置１３０を有している。【００２９】
トラップ作動状態管理装置１２０は、トラップ作動状態提供装置１１０が有する作動状態を送信するように要求する作動状態送信要求情報を通信中継装置１３０に送信し、トラップ作動状態提供装置１１０から作動状態情報を中間収集した通信中継装置１３０から作動状態情報を取得することによって、各スチームトラップＴの作動状態情報を管理し、各スチームトラップＴの作動状態を判断する。また、トラップ作動状態管理装置１２０は、次回の作動状態送信要求時刻を、通信中継装置１３０に提供する。【００３０】
通信中継装置１３０は、作動状態を送信するよう要求する同報作動状態送信要求情報を、自身と直接的に通信できるトラップ作動状態提供装置１１０の全てに対して、送信する。また、通信中継装置１３０は、次回の作動状態送信要求時刻を、自身と直接的に通信できるトラップ作動状態提供装置１１０の全てに対して、提供する。通信中継装置１３０は、作動状態送信要求時刻にしたがって、自らをスリープ状態とする。【００３１】
トラップ作動状態提供装置１１０は、プロセスシステムを構成する各スチームトラップＴに設置される。トラップ作動状態提供装置１１０は、スチームトラップＴの作動状態を取得する。また、トラップ作動状態提供装置１１０は、通信中継装置１３０から同報作動状態送信要求情報を取得すると、取得した作動状態を作動状態情報として通信中継装置１３０に送信する。さらに、トラップ作動状態提供装置１１０は、作動状態送信要求時刻にしたがって、自らをスリープ状態とする。【００３２】
これにより、トラップ作動状態管理装置１２０からの作動状態送信要求にしたがって、通信中継装置１３０がトラップ作動状態提供装置１１０から作動状態情報を中間収集し、中間収集した作動状態情報をトラップ作動状態管理装置１２０に提供するので、トラップ作動状態管理装置１２０において、作動状態情報の送受信を制御できる。また、通信中継装置１３０は、トラップ作動状態管理装置１２０からの作動状態送信要求によって、トラップ作動状態提供装置１１０から作動状態情報を中間収集し、トラップ作動状態管理装置１２０へ提供する一連の処理を実行するので、トラップ作動状態管理装置１２０は、トラップ作動状態提供装置１１０と直接通信することなく、通信中継装置１３０と通信すればいいので、負荷なく、効率的な作動状態情報の送受信を行うことができる。
【００３３】
第２  トラップ作動状態提供装置１１０の構成
１．トラップ作動状態提供装置１１０外観構成
トラップ作動状態提供装置１１０の外観構成について、図２を用いて説明する。トラップ作動状態提供装置１１０は、センサ部Ｐ１０１、電装部品配置部Ｐ１０３、及び、中間軸部Ｐ１０５を有している。【００３４】
センサ部Ｐ１０１は、スチームトラップＴの作動状態を、各種センサを用いて、電気信号として検出する。センサ部Ｐ１０１は、内部に、スチームトラップＴの作動状態、例えば、振動や温度、を検出する振動センサ、温度センサ等、各種のセンサを有している。なお、センサ部Ｐ１０１の詳細な構造については記載を省略する。【００３５】
電装部品配置部Ｐ１０３は、センサ部Ｐ１０１で検出した作動状態に関する電気信号を増幅し、作動状態情報として、他の通信機器に提供するための無線通信回路１１０ｈ（図示せず）をはじめとする各種回路を有している。なお、電装部品配置部Ｐ１０３に配置されるトラップ作動状態提供装置１１０のハードウェア構成については後述する。【００３６】
中間軸部Ｐ１０５は、円筒状のフレキシブルパイプ１１６、及び、フレキシブルパイプ１１６の内部に配置されるケーブル（図示せず）を有している。なお、フレキシブルパイプ１１６の内部に配置されるケーブルは、電装部品配置部Ｐ１０３が有する電装部品とセンサ部Ｐ１０１が有する各センサとを電気的に接続する。また、中間軸部Ｐ１０５のフレキシブルパイプ１１６は、センサ部Ｐ１０１、電装部品配置部Ｐ１０３、それぞれと、下部袋ナットＮ１０１、上部袋ナットＮ１０３を用いて、接続される。【００３７】
なお、図３に示すように、トラップ作動状態提供装置１１０は、所定の固定装置ＨＦを用いて、スチームトラップＴに固定される。トラップ作動状態提供装置１１０をスチームトラップＴに固定する際には、センサ部Ｐ１０１の先端Ｆが、スチームトラップＴの例えば入口部に接するように固定する。これにより、スチームトラップＴは、先端Ｆを介して、各種センサから、スチームトラップＴの作動状態を取得する。
【００３８】
２．トラップ作動状態提供装置１１０のハードウェア構成
次に、図２に示すトラップ作動状態提供装置１１０の電装部品配置部Ｐ１０３の内部に配置される電装部品のハードウェア構成について図４を用いて説明する。【００３９】
図４に示すように、トラップ作動状態提供装置１１０は、ＣＰＵ１１０ａ、メモリ１１０ｂ、無線通信回路１１０ｈ、センサ通信回路１１０ｉ、及び、計時回路１１０ｊを有している。【００４０】
ＣＰＵ１１０ａは、メモリ１１０ｂに記録されているオペレーティング・システム（ＯＳ）、トラップ作動状態情報提供プログラム等その他のアプリケーションに基づいた処理を行う。メモリ１１０ｂは、ＣＰＵ１１０ａに対して作業領域を提供する。また、メモリ１１０ｂは、オペレーティング・システム（ＯＳ）、トラップ作動状態情報提供プログラム等その他のアプリケーションのプログラム、及び、作動状態情報（図７参照）、作動状態送信要求時刻情報（図８参照）、作動状態提供予定情報、システム構成機器ＩＤ等の各種データを記録保持する。なお、各種データについては後述する。【００４１】
無線通信回路１１０ｈは、無線通信によって、トラップ作動状態管理装置１２０等の外部の通信機器とのデータの送受信を行う。センサ通信回路１１０ｉは、トラップ作動状態提供装置１１０に配置されている温度センサ、振動センサ等の各種センサと接続され、各種センサからスチームトラップＴの作動状態情報を取得する。計時回路１１０ｊは、所定のクロックを発生し、トラップ作動状態提供装置１１０の基準となる時刻を計時する。
【００４２】
第３  トラップ作動状態管理装置１２０のハードウェア構成
トラップ作動状態管理装置１２０のハードウェア構成について図５を用いて説明する。  図５に示すように、トラップ作動状態管理装置１２０は、ＣＰＵ１２０ａ、メモリ１２０ｂ、ハードディスクドライブ１２０ｃ（以下、ＨＤＤ１２０ｃとする）、キーボード１２０ｄ、マウス１２０ｅ、ディスプレイ１２０ｆ、光学式ドライブ１２０ｇ、無線通信回路１２０ｈ、及び、計時回路１２０ｊを有している。【００４３】
ＣＰＵ１２０ａは、ＨＤＤ１２０ｃに記録されているオペレーティング・システム（ＯＳ）、トラップ作動状態情報管理プログラム等その他のアプリケーションに基づいた処理を行う。メモリ１２０ｂは、ＣＰＵ１２０ａに対して作業領域を提供する。ＨＤＤ１２０ｃは、オペレーティング・システム（ＯＳ）、トラップ作動状態情報管理プログラム等その他のアプリケーションのプログラム、及び、作動状態情報データベース（以降、作動状態情報ＤＢとする：図１１参照）、作動状態送信要求予定情報（図９参照）、上位通信中継装置情報、通信待機時間情報、システム構成機器ＩＤ等の各種データを記録保持する。なお、各種データについては後述する。【００４４】
キーボード１２０ｄ、マウス１２０ｅは、外部からの命令を受け付ける。ディスプレイ１２０ｆは、ユーザーインターフェイス等の画像を表示する。光学式ドライブ１２０ｇは、トラップ作動状態情報管理プログラムが記録されている光学式メディア１２０ｐからトラップ作動状態情報管理プログラムを読み取り、また、他の光学式メディアからその他のアプリケーションのプログラムを読み取る等、光学式メディアからのデータの読み取りを行う。無線通信回路１２０ｈは、無線通信によって、トラップ作動状態提供装置１１０等の外部の通信機器とのデータの送受信を行う。計時回路１２０ｊは、所定のクロックを発生し、トラップ作動状態管理装置１２０の基準となる時刻を計時する。
【００４５】
第４  通信中継装置１３０のハードウェア構成
通信中継装置１３０のハードウェア構成について図６を用いて説明する。通信中継装置１３０は、ＣＰＵ１３０ａ、メモリ１３０ｂ、無線通信回路１３０ｈ、及び、計時回路１３０ｊを有している。【００４６】
ＣＰＵ１３０ａは、メモリ１３０ｂに記録されているオペレーティング・システム（ＯＳ）、通信中継プログラム等その他のアプリケーションに基づいた処理を行う。メモリ１３０ｂは、ＣＰＵ１３０ａに対して作業領域を提供する。また、メモリ１３０ｂは、オペレーティング・システム（ＯＳ）、通信中継プログラム等その他のアプリケーションのプログラム、及び、同報装置情報（図１２参照）、中間収集作動状態情報（図１３参照）、中継作動状態送信要求時刻情報（図１４参照）、通信待機時間情報、システム構成機器ＩＤ等、各種データを記録保持する。なお、各種データについては後述する。無線通信回路１３０ｈは、無線通信によって、トラップ作動状態提供装置１１０とトラップ作動状態管理装置１２０との間でのデータの送受信を中継する。計時回路１３０ｊは、所定のクロックを発生し、通信中継装置１３０の基準となる時刻を計時する。
【００４７】
第５  データ
トラップ作動状態管理システム１００で用いる主なデータについて、図７〜図１０を用いて説明する。【００４８】
１．作動状態情報
作動状態情報は、所定時刻におけるスチームトラップＴの作動状態、例えば、温度や振動、を示す情報である。作動状態情報は、各種センサを介してトラップ作動状態提供装置１１０によって取得され、メモリ１１０ｂに記憶保持される。【００４９】
作動状態情報のデータ構造を図７に示す。作動状態情報は、作動状態種別記述領域、作動状態値記述領域、及び、作動状態値取得時刻記述領域を有している。作動状態種別記述領域には、作動状態の種別が記述される。作動状態値記述領域には、作動状態を取得する際に使用するセンサのセンサ値が記述される。作動状態値取得時刻記述領域には、作動状態値を取得した時に計時回路１１０ｊが示す時刻が記述される。【００５０】
２．作動状態送信要求時刻情報
作動状態送信要求時刻情報は、トラップ作動状態提供装置１１０がトラップ作動状態管理装置１２０から作動状態を送信するよう要求される時刻を示す情報である。作動状態提供時刻情報は、トラップ作動状態提供装置１１０によって生成され、メモリ１１０ｂに記憶保持される。【００５１】
作動状態送信要求時刻情報のデータ構造を図８に示す。作動状態送信要求時刻情報（後述）は、作動状態送信要求時刻記述領域、通信待機開始時刻記述領域、及び、通信待機終了時刻記述領域を有している。作動状態送信要求時刻記述領域には、作動状態情報の送信が要求される作動状態送信要求時刻が記述される。なお、作動状態送信要求時刻は、トラップ作動状態提供装置１１０が通信中継装置１３０から取得する同報作動状態送信要求情報（後述）の次回作動状態送信要求時刻（後述）が記述される。通信待機開始時刻記述領域には、同報作動状態送信要求情報を取得するために、無線通信回路１１０ｈの通信待機状態を開始する通信待機開始時刻が記述される。通信待機開始時刻記述領域には、無線通信回路１１０ｈの待機状態を終了する通信待機終了時刻が記述される。なお、通信待機開始時刻、及び、通信待機終了時刻は、予定作動状態提供時刻毎に、トラップ作動状態提供装置１１０によって算出される。また、通信待機開始時刻、通信待機終了時刻は、トラップ作動状態提供装置１１０が、通信中継装置１３０から、ひいてはトラップ作動状態管理装置１２０から、取得する作動状態送信要求情報の次回作動状態送信要求時刻に対して所定時間前、所定時間後の時刻として設定される。【００５２】
３．作動状態送信要求予定情報
作動状態送信要求予定情報は、トラップ作動状態管理装置１２０が、各通信中継装置１３０に対して、ひいてはトラップ作動状態提供装置１１０に対して、スチームトラップＴの作動状態情報の送信を要求する作動状態送信要求時刻が記述されている情報である。作動状態送信要求予定情報は、予めトラップ作動状態管理装置１２０のＨＤＤ１２０ｃに記憶保持される。【００５３】
作動状態送信要求予定情報のデータ構造を図９に示す。作動状態送信要求予定情報は、システム構成機器ＩＤ記述領域、及び、作動状態送信要求時刻記述領域を有している。システム構成機器ＩＤ記述領域には、各通信中継装置１３０を一意に特定するシステム構成機器ＩＤが記述される。作動状態送信要求時刻記述領域には、各通信中継装置１３０に対して作動状態送信要求情報を送信する時刻が記述される。【００５４】
４．作動状態送信要求情報
作動状態送信要求情報は、トラップ作動状態管理装置１２０が通信中継装置１３０に対して、ひいてはトラップ作動状態提供装置１１０に対して、スチームトラップＴの作動状態情報を送信するよう要求するための情報である。作動状態送信要求情報は、トラップ作動状態管理装置１２０によって生成され、メモリ１２０ｂに記憶保持された後、通信中継装置１３０に送信される。【００５５】
作動状態送信要求情報のデータ構造を図１０に示す。作動状態送信要求情報は、作動状態送信要求情報ＩＤ記述領域、システム構成機器ＩＤ記述領域、及び、次回作動状態送信要求時刻記述領域を有している。作動状態送信要求情報ＩＤ記述領域には、作動状態送信要求情報を一意に特定するＩＤが記述される。システム構成機器ＩＤ記述領域には、作動状態送信要求情報を送信する通信中継装置１３０を一意に特定するシステム構成機器ＩＤが記述される。次回作動状態送信要求時刻記述領域には、次に、トラップ作動状態管理装置１２０、通信中継装置１３０、トラップ作動状態提供装置１１０間で、作動状態情報を送受信する時刻が記述される。なお、次回作動状態送信要求時刻には、トラップ作動状態管理装置１２０が、作動状態送信要求予定情報（図９参照）から取得する所定の作動状態送信要求時刻が記述される。【００５６】
５．作動状態情報ＤＢ
作動状態情報ＤＢは、ネットワークに属するスチームトラップＴの作動状態を蓄積した情報である。作動状態情報ＤＢは、各トラップ作動状態提供装置１１０を介して取得したスチームトラップＴの作動状態に基づき、トラップ作動状態管理装置１２０によって生成され、ＨＤＤ１２０ｃに記憶保持される。【００５７】
作動状態情報ＤＢのデータ構造を図１１に示す。作動状態情報ＤＢは、システム構成機器ＩＤ記述領域、作動状態種別記述領域、作動状態値記述領域、作動状態値取得時刻記述領域、及び、受信時刻記述領域を有している。システム構成機器ＩＤ記述領域には、作動状態情報を取得したプロセスシステム構成機器を一に特定するシステム構成機器ＩＤが記述される。作動状態種別記述領域、作動状態値記述領域、作動状態値取得時刻記述領域には、それぞれ、取得した作動状態情報（図８参照）の作動状態種別記述領域、作動状態値記述領域、作動状態値取得時刻記述領域の各値が記述される。受信時刻記述領域には、作動状態情報を受信した時に計時回路１２０ｊが示す時刻が記述される。【００５８】
６．同報装置情報
作動状態情報は、一の通信中継装置１３０が、他の通信中継装置１３０を介さずに、直接、同報作動状態送信要求情報（後述）を送信することができるトラップ作動状態提供装置１１０を示す情報である。【００５９】
同報装置情報のデータ構造を図１２に示す。同報装置情報は、システム構成機器ＩＤ記述領域を有している。システム構成機器ＩＤ記述領域には、対象となっている通信中継装置１３０が、他の通信中継装置１３０を介さずに、直接、所定の情報を送信することができるトラップ作動状態提供装置１１０のシステム構成機器ＩＤが記述される。【００６０】
７．中間収集作動状態情報
中間収集作動状態情報は、ネットワークに属するスチームトラップＴの作動状態を蓄積した情報である。中間収集作動状態情報は、各トラップ作動状態提供装置１１０を介して取得したスチームトラップＴの作動状態に基づき、通信中継装置１３０によって生成され、メモリ１３０ｂに一時的に記憶保持された後、トラップ作動状態管理装置１２０へまとめて提供される。【００６１】
中間収集作動状態情報のデータ構造を図１３に示す。中間収集作動状態情報は、システム構成機器ＩＤ記述領域、作動状態種別記述領域、作動状態値記述領域、作動状態値取得時刻記述領域、及び、受信時刻記述領域を有している。システム構成機器ＩＤ記述領域には、作動状態情報を取得したシステム構成機器を一に特定するシステム構成機器ＩＤが記述される。作動状態種別記述領域、作動状態値記述領域、作動状態値取得時刻記述領域には、それぞれ、作動状態情報（７参照）の作動状態種別記述領域、作動状態値記述領域、作動状態値取得時刻記述領域の各値が記述される。受信時刻記述領域には、作動状態情報を受信した時に計時回路１３０ｊが示す時刻が記述される。【００６２】
８．中継作動状態送信要求時刻情報
中継作動状態送信要求時刻情報は、自身、及び、自身より下位の通信中継装置１３０がトラップ作動状態管理装置１２０から作動状態を送信するよう要求される時刻を示す情報である。中継作動状態送信要求時刻情報は、通信中継装置１３０によって生成され、メモリ１３０ｂに記憶保持される。【００６３】
中継作動状態送信要求時刻情報のデータ構造を図１４に示す。中継作動状態送信要求時刻情報は、作動状態送信要求時刻記述領域、通信待機開始時刻記述領域、及び、通信待機終了時刻記述領域を有している。作動状態送信要求時刻記述領域には、トラップ作動状態管理装置１２０が作動状態情報の送信を要求する時刻である作動状態送信要求時刻が記述される。なお、作動状態送信要求時刻としては、自己に対して、又は、自己の下位に属する通信中継装置１３０に対して送信された作動状態送信要求情報の次回作動状態送信要求時刻が用いられる。通信待機開始時刻記述領域には、作動状態送信要求情報を取得するために、無線通信回路１３０ｈの通信待機状態を開始する通信待機開始時刻が記述される。通信待機開始時刻記述領域には、無線通信回路１３０ｈの待機状態を終了する通信待機終了時刻が記述される。なお、通信待機開始時刻、及び、通信待機終了時刻は、作動状態送信要求時刻毎に、通信中継装置１３０によって算出される。なお、通信待機開始時刻、通信待機終了時刻は、通信中継装置１３０が、トラップ作動状態管理装置１２０から取得する所定の作動状態送信要求情報の次回作動状態送信要求時刻に対して所定時間前、所定時間後の時刻として設定される。
【００６４】
第６  トラップ作動状態管理システム１００の動作
トラップ作動状態管理システム１００の動作について、図１５に示すトラップ作動状態管理装置１２０の動作を示すフローチャート、図１６、図１７に示す通信中継装置１３０の動作を示すフローチャート、及び、図１８に示すトラップ作動状態提供装置１１０の動作を示すフローチャートを用いて、以下に説明する。【００６５】
１．トラップ作動状態管理装置１２０の動作
図１５に示すように、トラップ作動状態管理装置１２０のＣＰＵ１２０ａは、計時回路１２０ｊから現在時刻を取得し、取得した現在時刻が作動状態送信要求予定情報（図９参照）の作動状態送信要求時刻記述領域に存在する時刻であるか否かを判断する（Ｓ１５０１）。ＣＰＵ１２０ａは、現在時刻が、作動状態送信要求予定情報の作動状態送信要求時刻記述領域に存在する時刻であると判断すると、作動状態送信要求予定情報において、取得した現在時刻に対応するシステム構成機器ＩＤ記述領域に記述されているシステム構成機器ＩＤを取得し、また、取得したシステム構成機器ＩＤを対象として、次回作動状態送信要求時刻記述領域から、現在時刻よりも先の時刻で、現在時刻に最も近い作動状態送信要求時刻を次回作動状態送信要求時刻として取得する（Ｓ１５０３）。【００６６】
ＣＰＵ１２０ａは、作動状態送信要求情報（図１０参照）を生成する（Ｓ１５０５）。ここで、ＣＰＵ１２０ａは、ステップＳ１５０３で取得したシステム構成機器ＩＤ、次回作動状態送信要求時刻を、それぞれ、作動状態送信要求情報のシステム構成機器ＩＤ記述領域、次回作動状態送信要求時刻記述領域の値として設定する。ＣＰＵ１２０ａは、生成した作動状態送信要求情報を、ステップＳ１５０３で取得したシステム構成機器ＩＤの通信中継装置１３０に対して、送信する（Ｓ１５０７）。【００６７】
ＣＰＵ１２０ａは、作動状態送信要求情報を送信した通信中継装置１３０から中間収集作動状態情報（図１３参照）を受信したと判断すると（Ｓ１５０９）、受信した中間収集作動状態情報に基づき、システム構成機器ＩＤ記述領域に記述されているシステム構成機器ＩＤ、作動状態値取得時刻記述領域に記述されている作動状態取得時刻、作動状態種別記述領域に記述されている作動状態種別、及び、作動状態値記述領域に記述されている作動状態値を関連付けて、中間収集作動状態情報の受信時刻とともに作動状態情報ＤＢ（図１１参照）に記述する（Ｓ１５１１）。ＣＰＵ１２０ａは、所定時間の間に中間収集作動状態情報を受信しなかったと判断した場合（Ｓ１５１３）も含めて、動作が終了するまで（Ｓ１５１５）、ステップＳ１５０１〜ステップＳ１５１３までの処理を繰り返す。【００６８】
２．通信中継装置１３０の動作
図１６に示すように、通信中継装置１３０の計時回路１３０ｊは、計測している時刻が、メモリ１３０ｂに記憶保持する中継作動状態送信要求時刻情報（図１４参照）の通信待機開始時刻記述領域に記述されている通信待機開始時刻になったと判断すると（Ｓ１６０１）、ＣＰＵ１３０ａを起動する（Ｓ１６０３）。ＣＰＵ１３０ａは、無線通信回路１３０ｈを待機状態とする（Ｓ１６０５）。【００６９】
ＣＰＵ１３０ａは、トラップ作動状態管理装置１２０（図１５：ステップＳ１５０７）から作動状態送信要求情報（図１０参照）を取得すると（Ｓ１６０７）、取得した作動状態送信要求情報のシステム構成機器ＩＤ記述領域に記述されているシステム構成機器ＩＤが、自己のシステム構成機器ＩＤか否かを判断する（Ｓ１６０９）。ＣＰＵ１３０ａは、システム構成機器ＩＤ記述領域に記述されているシステム構成機器ＩＤが、自己のシステム構成機器ＩＤであると判断すると、次回作動状態送信要求時刻記述領域に記述されている次回作動状態送信要求時刻を取得する（Ｓ１６１１）。【００７０】
ＣＰＵ１３０ａは、同報装置情報（図１２参照）を取得する（Ｓ１６１３）。ＣＰＵ１３０ａは、同報装置情報のシステム構成機器ＩＤ記述領域に記述されているシステム構成機器ＩＤを取得する（Ｓ１６１５）。ＣＰＵ１３０ａは、同報作動状態送信要求情報を生成する（Ｓ１６１７）。なお、ここで生成する同報作動状態送信要求情報は、トラップ作動状態管理装置１２０が生成する作動状態送信要求情報（図１５：ステップＳ１５０５、図１０参照）と同様である。ただし、ＣＰＵ１３０ａは、同報作動状態送信要求情報を生成する際に、ステップＳ１６１５で取得したシステム構成機器ＩＤ、ステップＳ１６１１で取得した次回作動状態送信要求時刻を、それぞれ、同報作動状態送信要求情報のシステム構成機器ＩＤ記述領域の値、次回作動状態送信要求時刻記述領域の値に設定する。【００７１】
ＣＰＵ１３０ａは、ステップＳ１６１５で取得した全てのシステム構成機器ＩＤについて同報作動状態送信要求情報を生成すると（Ｓ１６１９）、生成した全ての同報作動状態送信要求情報を、システム構成機器ＩＤに対応する各トラップ作動状態提供装置１１０に対して同時に、送信する（Ｓ１６２１）。【００７２】
一方、ＣＰＵ１３０ａは、ステップＳ１６０９において、取得した作動状態要求情報のシステム構成機器ＩＤ記述領域に記述されているシステム構成機器ＩＤが、自己のシステム構成機器ＩＤでないと判断すると、自己の下位に属する通信中継装置１３０に向けて送信された作動状態送信要求情報であると判断し、ステップＳ１６０７（図１６参照）で取得した作動状態送信要求情報から次回作動状態送信要求時刻記述領域の次回作動状態送信要求時刻を抽出する（Ｓ１６２３）。ＣＰＵ１３０ａは、取得した次回作動状態送信要求時刻から、通信待機開始時刻及び通信待機終了時刻を算出した上で、メモリ１３０ｂに記憶保持する中継作動状態送信要求時刻情報（図１４参照）に追加的に記述する（Ｓ１６２５）。なお、次回通信待機開始時刻、通信待機終了時刻の算出については、後述する。【００７３】
そして、ＣＰＵ１３０ａは、ルーティングテーブルを用いて、一般的な通信中継処理によって、取得した作動状態送信要求情報を他の通信装置へ送信する（Ｓ１６２７）。ＣＰＵ１３０ａは、メモリ１３０ｂ及び計時回路１３０ｊ以外への電源供給を停止するいわゆるスリープ状態とする（Ｓ１６２９）。【００７４】
図１７に移って、ＣＰＵ１３０ａは、同報作動状態送信要求情報を送信したトラップ作動状態提供装置１１０から作動状態情報（図７参照）を受信したと判断すると（Ｓ１６３１）、受信した作動状態情報を、作動状態情報を送信したトラップ作動状態提供装置１１０と関連付けて、一時的に、メモリ１３０ｂに記憶する（Ｓ１６３３）。ＣＰＵ１３０ａは、同報作動状態送信要求情報を送信した全てのトラップ作動状態提供装置１１０から作動状態情報を受信したと判断すると（Ｓ１６３５）、メモリ１３０ｂに記憶している全ての作動状態情報から、作動状態値取得時刻記述領域に記述されている作動状態取得時刻、作動状態種別記述領域に記述されている作動状態種別、及び、作動状態値記述領域に記述されている作動状態値を抽出し、各作動状態情報が関連付けられているトラップ作動状態提供装置１１０のシステム構成機器ＩＤと関連付けて、中間収集作動状態情報（図１３参照）を生成する（Ｓ１６３７）。ＣＰＵ１３０ａは、生成した中間収集作動状態情報を、トラップ作動状態管理装置１２０へ送信し（Ｓ１６３９）、無線通信回路１３０ｈの待機状態を終了する（Ｓ１６４１）。【００７５】
なお、ＣＰＵ１３０ａは、同報作動状態送信要求情報を送信した全てのトラップ作動状態提供装置１１０から作動状態情報を受信する前に、所定時間が経過した場合には（Ｓ１６４３）、その時点でメモリ１３０ｂに記憶している作動状態情報に基づき、中間収集作動状態情報を生成し、（Ｓ１６３７）、トラップ作動状態管理装置１２０へ送信する（Ｓ１６３９）。【００７６】
ＣＰＵ１３０ａは、ステップＳ１６０７（図１６参照）で取得した作動状態送信要求情報から次回作動状態送信要求時刻記述領域の次回作動状態送信要求時刻を抽出する（Ｓ１６４５）。ＣＰＵ１３０ａは、取得した次回作動状態送信要求時刻から、通信待機開始時刻及び通信待機終了時刻を算出した上で、メモリ１３０ｂに記憶保持する中継作動状態送信要求時刻情報（図１４参照）に追加的に記述する（Ｓ１６４７）。なお、ＣＰＵ１３０ａは、次回通信待機開始時刻、通信待機終了時刻を算出するに際し、メモリ１３０ｂに記憶保持している通信待機時間情報に記述されている通信待機時間を用いる。ＣＰＵ１３０ａは、次回作動状態送信要求時刻に通信待機時間を減算、加算することによって、次回通信待機開始時刻、通信待機終了時刻を算出する。【００７７】
そして、ＣＰＵ１３０ａは、メモリ１３０ｂ及び計時回路１３０ｊ以外への電源供給を停止するいわゆるスリープ状態とする（Ｓ１６４９）。【００７８】
３．トラップ作動状態提供装置１１０の動作
図１８に示すように、トラップ作動状態提供装置１１０の計時回路１１０ｊは、計測している時刻が、メモリ１１０ｂに記憶保持する作動状態送信要求時刻情報（図８参照）の通信待機開始時刻記述領域の通信待機開始時刻になったと判断すると（Ｓ１８０１）、ＣＰＵ１１０ａを起動する（Ｓ１８０３）。ＣＰＵ１１０ａは、無線通信回路１１０ｈを待機状態とする（Ｓ１８０５）。【００７９】
ＣＰＵ１１０ａは、通信中継装置１３０から同報作動状態送信要求情報を受信すると（Ｓ１８０７）、メモリ１１０ｂに記憶している上位通信中継装置情報を取得する（Ｓ１８０９）。ここで、上位通信中継装置情報とは、自らと直接的に通信することができる通信中継装置１３０のシステム構成機器ＩＤが記述された情報である。【００８０】
ＣＰＵ１１０ａは、ステップＳ１８０９で取得した上位通信中継装置情報の通信中継装置１３０に対して、無線通信回路１１０ｈを介して、作動状態情報を送信する（Ｓ１８１１）。なお、ＣＰＵ１１０ａは、提供作動状態情報を送信するに際し、ＣＣＡ（Ｃｌｅａｒ  Ｃｈａｎｎｅｌ  Ａｓｓｅｓｍｅｎｔ）を用いて、無線通信における空きチャネルを探索する。これにより、効率よく作動状態情報を、通信中継装置１３０に提供することができる。【００８１】
ＣＰＵ１１０ａは、作動状態情報の送信が終了すると（Ｓ１８１３）、無線通信回路１１０ｈの待機状態を終了する（Ｓ１８１５）。また、ＣＰＵ１１０ａは、提供作動状態情報の送信が終了せずに、最初の作動状態情報の送信から所定時間が経過したと判断した場合も（Ｓ１８１７）、同様に、提供作動状態情報の送信を終了し（Ｓ１８１５）、無線通信回路１１０ｈの待機状態を終了する（Ｓ１８１５）。【００８２】
ＣＰＵ１１０ａは、ステップＳ１８０７で取得した同報作動状態送信要求情報から次回作動状態送信要求時刻記述領域の次回作動状態送信要求時刻を抽出する（Ｓ１８１９）。ＣＰＵ１１０ａは、取得した次回作動状態送信要求時刻から、通信待機開始時刻及び通信待機終了時刻を算出した上で作動状態送信要求時刻情報（図８参照）を生成し、メモリ１１０ｂに記憶保持する（Ｓ１８２１）。なお、ＣＰＵ１１０ａは、次回通信待機開始時刻、通信待機終了時刻を算出するに際し、メモリ１１０ｂに記憶保持している通信待機時間情報に記述されている通信待機時間を用いる。ＣＰＵ１１０ａは、次回作動状態送信要求時刻に通信待機時間を減算、加算することによって、次回通信待機開始時刻、通信待機終了時刻を算出する。【００８３】
そして、ＣＰＵ１１０ａは、メモリ１１０ｂ及び計時回路１１０ｊ以外への電源供給を停止するいわゆるスリープ状態とする（Ｓ１８２３）。
【００８４】
［他の実施例］
（１）プロセスシステム構成機器：前述の実施例１においては、プロセスシステム構成機器としてスチームトラップＴを示したが、プロセスシステム構成機器であれば、例示のものに限定されない。例えば、図１に示す減圧弁Ｇ、バルブＶであってもよい。さらに、ポンプ、セパレータ、フィルタ等の各種流体制御機器であってもよい。これにより、トラップ作動状態提供装置１１０を用いて、スチームトラップＴ以外の機器の作動状態を監視することもできる。【００８５】
（２）通信待機開始時刻、通信待機終了時刻：前述の実施例１においては、通信待機時間情報に記述されている通信待機時間を、次回作動状態送信要求時刻に減算、加算することによって通信待機開始時刻、通信待機終了時刻を算出したが、通信待機時間を設定できるものであれば、例示のものに限定されない。例えば、減算する通信待機時間を第１の通信待機時間とし、加算する通信待機時間を第２の通信待機時間として、第１の通信待機時間と第２の通信待機時間とを異なる値として設定するようにしてもよい。【００８６】
（３）各プログラムのフローチャート：前述の実施例１においては、トラップ作動状態管理システム１００では、図１５〜図１８に示すフローチャートに従って各処理が実行されるとしたが、各処理の機能・目的を達成できるものであれば、例示のものに限定されない。【００８７】
（４）各データの構造：前述の実施例１においては、トラップ作動状態管理システム１００では、図８〜図１４に示すデータを用いて各処理が実行されるとしたが、各処理の機能・目的を達成できるものであれば、例示のものに限定されない。
【産業上の利用可能性】
【００８８】
本発明に係る対象情報管理システムは、例えば、蒸気プラントにおいてスチームトラップの作動状態を管理するトラップ作動状態管理システムに利用することができる。
【符号の説明】
【００８９】
１００      トラップ作動状態管理システム
１１０      トラップ作動状態提供装置
Ｐ１０１    センサ部
Ｐ１０３    電装部品配置部
Ｐ１０５    中間軸部
１１０ａ    ＣＰＵ
１１０ｂ    メモリ
１１０ｈ    無線通信回路
１１０ｉ    センサ通信回路
１１０ｊ    計時回路
１２０      トラップ作動状態管理装置
１２０ａ    ＣＰＵ
１２０ｂ    メモリ
１２０ｃ    ハードディスクドライブ
１２０ｄ    キーボード
１２０ｅ    マウス
１２０ｆ    ディスプレイ
１２０ｇ    光学式ドライブ
１２０ｈ    無線通信回路
１２０ｊ    計時回路
１２０ｐ    光学式メディア
１３０      通信中継装置
１３０ａ    ＣＰＵ
１３０ｂ    メモリ
１３０ｈ    無線通信回路
Ｔ          スチームトラップ
Ｇ          減圧弁
Ｖ          バルブ
【図１】
2016093256.tif 000003
【図２】
2016093256.tif 000004
【図３】
2016093256.tif 000005
【図４】
2016093256.tif 000006
【図５】
2016093256.tif 000007
【図６】
2016093256.tif 000008
【図７】
2016093256.tif 000009
【図８】
2016093256.tif 000010
【図９】
2016093256.tif 000011
【図１０】
2016093256.tif 000012
【図１１】
2016093256.tif 000013
【図１２】
2016093256.tif 000014
【図１３】
2016093256.tif 000015
【図１４】
2016093256.tif 000016
【図１５】
2016093256.tif 000017
【図１６】
2016093256.tif 000018
【図１７】
2016093256.tif 000019
【図１８】
2016093256.tif 000020
【図１９】
2016093256.tif 000021
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
対象情報管理装置、複数の対象情報提供装置、及び、前記対象情報管理装置と前記対象情報提供装置との間の通信を中継する通信中継装置を有する対象情報管理システムにおいて、
前記対象情報管理装置は、
前記通信中継装置に対して、所定の前記対象情報提供装置が有する前記対象情報を送信するよう要求する送信要求情報を生成する送信要求情報生成部、
前記送信要求情報を送信する管理送信部、
を有し、
前記通信中継装置は、
前記送信要求情報を受信する中継受信部、
前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
を有し、
前記対象情報提供装置は、
前記同報送信要求情報を受信する提供受信部、
前記同報送信要求情報を受信すると、前記対象情報を、前記同報送信要求情報を送信した前記通信中継装置に、送信する提供送信部、
を有し、
前記通信中継装置は、さらに、
前記中継受信部を介して、前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有し、
前記対象情報管理装置、前記通信中継装置及び前記対象情報提供装置の間の通信経路が確定した後において、前記対象情報管理装置は、前記通信中継装置に前記送信要求情報を送信することによって、前記通信中継装置に前記通信中継装置と直接的に通信する前記対象情報提供装置から前記対象情報を取得させると共に前記中間収集対象情報を前記対象情報管理装置に送信させる対象情報管理システム。
【請求項２】
対象情報管理装置、複数の対象情報提供装置、及び、通信中継装置を有する対象情報管理システムにおいて、前記対象情報管理装置と前記対象情報提供装置との間の通信を中継する前記通信中継装置であって、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有し、
前記対象情報管理装置、前記通信中継装置及び前記対象情報提供装置の間の通信経路が確定した後において、前記中継受信部が前記対象情報管理装置から前記送信要求情報を受信すると、前記同報送信要求情報生成部、前記中継送信部及び前記中間収集対象情報生成部は、自らと直接的に通信する前記対象情報提供装置から前記対象情報を取得すると共に前記中間収集対象情報を前記対象情報管理装置に送信する通信中継装置。
【請求項３】
請求項２に係る通信中継装置において、
前記中継受信部を介して、次回送信要求時刻を有する前記送信要求情報を受信すると、前記次回送信要求時刻を次回送信要求時刻情報として記憶保持し、前記次回送信時刻に合わせて、前記中継受信部の通信待機状態を開始し、及び、終了する受信待機制御部、
を有する通信中継装置。
【請求項４】
請求項３に係る通信中継装置において、
前記受信待機制御部は、さらに、
自身以外の前記通信中継装置であって、前記対象情報管理システムにおいて自身の下位に属するものに対する前記送信要求情報であって、前記次回送信要求時刻を有するものを受信すると、前記次回送信要求時刻を次回送信要求時刻情報として記憶保持し、前記次回送信時刻に合わせて、前記中継受信部の通信待機状態を開始し、及び、終了すること
を特徴とする通信中継装置。
【請求項５】
コンピュータを、対象情報管理装置、複数の対象情報提供装置、及び、通信中継装置を有する対象情報管理システムにおいて、前記対象情報管理装置と前記対象情報提供装置との間の通信を中継する前記通信中継装置と機能させる通信中継プログラムであって、
前記コンピュータを、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
として機能させ、
前記対象情報管理装置、前記通信中継装置及び前記対象情報提供装置の間の通信経路が確定した後において、前記中継受信部が前記対象情報管理装置から前記送信要求情報を受信すると、前記同報送信要求情報生成部、前記中継送信部及び前記中間収集対象情報生成部は、自らと直接的に通信する前記対象情報提供装置から前記対象情報を取得すると共に前記中間収集対象情報を前記対象情報管理装置に送信する通信中継プログラム。
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
対象情報管理装置、複数の対象情報提供装置、及び、前記対象情報管理装置と前記対象情報提供装置との間の通信を中継する複数の通信中継装置を有する対象情報管理システムにおいて、
前記対象情報管理装置、前記対象情報提供装置、及び、前記通信中継装置は、互いに無線通信を行い、
前記通信中継装置は、他の前記通信中継装置と無線通信することによって、前記対象情報管理装置と前記対象情報提供装置との間の通信を中継し、
前記対象情報管理装置は、
前記通信中継装置に対して、所定の前記対象情報提供装置が有する前記対象情報を送信するよう要求する送信要求情報を生成する送信要求情報生成部、
前記送信要求情報を送信する管理送信部、
を有し、
前記通信中継装置は、
前記送信要求情報を受信する中継受信部、
前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
を有し、
前記対象情報提供装置は、
前記同報送信要求情報を受信する提供受信部、
前記同報送信要求情報を受信すると、前記対象情報を、前記同報送信要求情報を送信した前記通信中継装置に、送信する提供送信部、
を有し、
前記通信中継装置は、さらに、
前記中継受信部を介して、前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有し、
前記対象情報管理装置、前記通信中継装置及び前記対象情報提供装置の間の通信経路が確定した後において、前記対象情報管理装置は、前記通信中継装置に前記送信要求情報を送信することによって、前記通信中継装置に前記通信中継装置と直接的に通信する前記対象情報提供装置から前記対象情報を取得させると共に前記中間収集対象情報を前記対象情報管理装置に送信させる対象情報管理システム。
【請求項２】
対象情報管理装置、複数の対象情報提供装置、及び、複数の通信中継装置を有し、前記対象情報管理装置、前記対象情報提供装置、及び、前記通信中継装置が互いに無線通信を行う対象情報管理システムにおいて、他の前記通信中継装置と無線通信することによって前記対象情報管理装置と前記対象情報提供装置との間の通信を中継する前記通信中継装置であって、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
を有し、
前記対象情報管理装置、前記通信中継装置及び前記対象情報提供装置の間の通信経路が確定した後において、前記中継受信部が前記対象情報管理装置から前記送信要求情報を受信すると、前記同報送信要求情報生成部、前記中継送信部及び前記中間収集対象情報生成部は、自らと直接的に通信する前記対象情報提供装置から前記対象情報を取得すると共に前記中間収集対象情報を前記対象情報管理装置に送信する通信中継装置。
【請求項３】
請求項２に係る通信中継装置において、
前記中継受信部を介して、次回送信要求時刻を有する前記送信要求情報を受信すると、前記次回送信要求時刻を次回送信要求時刻情報として記憶保持し、前記次回送信時刻に合わせて、前記中継受信部の通信待機状態を開始し、及び、終了する受信待機制御部、
を有する通信中継装置。
【請求項４】
請求項３に係る通信中継装置において、
前記受信待機制御部は、さらに、
自身以外の前記通信中継装置であって、前記対象情報管理システムにおいて自身の下位に属するものに対する前記送信要求情報であって、前記次回送信要求時刻を有するものを受信すると、前記次回送信要求時刻を次回送信要求時刻情報として記憶保持し、前記次回送信時刻に合わせて、前記中継受信部の通信待機状態を開始し、及び、終了すること
を特徴とする通信中継装置。
【請求項５】
コンピュータを、対象情報管理装置、複数の対象情報提供装置、及び、複数の通信中継装置を有し、前記対象情報管理装置、前記対象情報提供装置、及び、前記通信中継装置が互いに無線通信を行う対象情報管理システムにおいて、他の前記通信中継装置と無線通信することによって前記対象情報管理装置と前記対象情報提供装置との間の通信を中継する前記通信中継装置と機能させる通信中継プログラムであって、
前記コンピュータを、
前記対象情報管理装置が、前記通信中継装置に対して、所定の前記対象情報提供装置が有する前記対象情報を送信するよう要求する送信要求情報を受信する中継受信部、
自身に対する前記送信要求情報を受信すると、自らと直接的に通信する前記対象情報提供装置の全てに対して、前記対象情報の送信を要求する同報送信要求情報を生成する同報送信要求情報生成部、
前記同報送信要求情報を送信する中継送信部、
前記中継受信部を介して、前記対象情報提供装置から前記対象情報を受信すると、受信した前記対象情報を、一時的に記憶保持し、一時的に記憶保持した前記対象情報を用いて生成される中間収集対象情報であって、前記中継送信部を介して、前記対象情報管理装置に送信されるものを生成する中間収集対象情報生成部、
として機能させ、
前記対象情報管理装置、前記通信中継装置及び前記対象情報提供装置の間の通信経路が確定した後において、前記中継受信部が前記対象情報管理装置から前記送信要求情報を受信すると、前記同報送信要求情報生成部、前記中継送信部及び前記中間収集対象情報生成部は、自らと直接的に通信する前記対象情報提供装置から前記対象情報を取得すると共に前記中間収集対象情報を前記対象情報管理装置に送信する通信中継プログラム。
【国際調査報告】
2016093256.tif 000022
2016093256.tif 000023
2016093256.tif 000024
2016093256.tif 000025